(57)【要約】      （修正有）【課題】ユーザが多様な情報をサイトを通じて公開することに伴う自ら設定したポイントに基づいた便益を得ることができコミュニティサイト提供システムを提供する。【解決手段】コミュニティサイト管理装置１０は、コミュニティ案内用のトップページにリンクさせたブログ、フォトアルバム、ムービー及びユーザ相互間のメール送受信、電子掲示板などからなる各コンテンツを格納したデータベースサーバ１１と、コンテンツ群を外部に提供するコンテンツ提供サーバ１３と、各コンテンツ内容の閲覧等に伴い、作成ユーザが設定し相手方ユーザが消費又は移動するポイント数を任意数のユーザ個々に管理するポイント管理手段１８と、このポイント管理手段１８の管理結果を基に相手方ユーザが消費又は移動したポイント数を積算し、作成ユーザに対するポイント還元処理を行うポイント還元処理手段１９と、を具備するユーザ監視手段１４と、を有する。【選択図】図１
2008287306.tif 000002
【特許請求の範囲】
【請求項１】
コミュニティサイトを管理するコミュニティサイト管理装置と、任意数のユーザのユーザ端末との間を通信網により接続したコミュニティサイト提供システムであって、
前記コミュニティサイト管理装置は、
コミュニティ案内用のトップページと、このトップページにリンクさせた複数のコンテンツ群を格納したデータベースサーバと、
このデータベースサーバに格納したコンテンツ群を外部に提供するコンテンツ提供サーバと、
コンテンツ提供サーバからのコンテンツ群に応じたユーザ端末の処理に基づいて、個々のユーザ間の各作成コンテンツ内容の閲覧等に伴い一方のユーザが設定し相手方ユーザが消費又は移動するポイント数を任意数のユーザ個々に管理するポイント管理手段と、このポイント管理手段の管理結果を基に相手方ユーザが消費又は移動したポイント数を積算し、作成ユーザに対するポイント還元処理を行うポイント還元処理手段と、を具備するユーザ監視手段と、
を有することを特徴とするコミュニティサイト提供システム。
【請求項２】
コミュニティサイトを管理するコミュニティサイト管理装置と、任意数のユーザのユーザ端末との間を通信網により接続したコミュニティサイト提供システムであって、
前記コミュニティサイト管理装置は、
コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群を格納したデータベースサーバと、
このデータベースサーバに格納したコンテンツ群を外部に提供するコンテンツ提供サーバと、
コンテンツ提供サーバからのコンテンツ群に応じたユーザ端末の処理に基づいて、個々のユーザ間の作成ブログ閲覧に伴いブログの作成ユーザが設定し相手方ユーザが消費又は移動するポイント数、個々のユーザ間の作成フォトアルバム閲覧及びコメント交換に伴い作成ユーザが設定し相手方ユーザが消費又は移動するポイント数、個々のユーザ間の作成ムービー閲覧、コメント交換に伴い作成ユーザが設定し相手方ユーザが消費又は移動するポイント数、個々のユーザ間の作成メール送受信に伴い一方のユーザが設定し相手方ユーザが消費又は移動するポイント数を任意数のユーザ個々に管理するポイント管理手段と、このポイント管理手段の管理結果を基に相手方ユーザが消費又は移動したポイント数を積算し、作成ユーザに対するポイント還元処理を行うポイント還元処理手段と、を具備するユーザ監視手段と、
を有することを特徴とするコミュニティサイト提供システム。
【請求項３】
コミュニティサイトを管理するコミュニティサイト管理装置と、任意数のユーザのユーザ端末との間を通信網により接続したコミュニティサイト提供システムであって、
前記コミュニティサイト管理装置は、
コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群を格納したデータベースサーバと、
このデータベースサーバに格納したコンテンツ群を外部に提供するコンテンツ提供サーバと、
コンテンツ提供サーバからのコンテンツ群に応じたユーザ端末の処理に基づいて、個々のユーザ間の作成ブログ閲覧に伴いブログの作成ユーザが通常ユーザ、サイト内交信を通じて仲良くなったユーザ間で登録した仲良し登録ユーザを別けて設定し相手方ユーザが消費又は移動するポイント数、個々のユーザ間の作成フォトアルバム閲覧及びコメント交換に伴い作成ユーザが通常ユーザ、前記仲良し登録ユーザを別けて設定し相手方ユーザが消費又は移動するポイント数、個々のユーザ間の作成ムービー閲覧、コメント交換に伴い作成ユーザが通常ユーザ、前記仲良し登録ユーザを別けて設定し相手方ユーザが消費又は移動するポイント数、及び個々のユーザ間の作成メール送受信に伴い一方のユーザが通常ユーザ、前記仲良し登録ユーザを別けて設定し相手方ユーザが消費又は移動するポイント数を任意数のユーザ個々に管理するポイント管理手段と、このポイント管理手段の管理結果を基に相手方ユーザが消費又は移動したポイント数を積算し、作成ユーザに対する通常ユーザ、前記仲良し登録ユーザ別のポイント還元処理を行うポイント還元処理手段と、を具備するユーザ監視手段と、
を有することを特徴とするコミュニティサイト提供システム。
【請求項４】
コミュニティサイト管理装置と、任意数のユーザのユーザ端末との間を通信網により接続したコミュニティサイト提供システム用プログラムであって、
コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群をユーザ端末に提供する処理と、
個々のユーザ間の作成ブログ閲覧に伴いブログの作成ユーザが通常ユーザ、サイト内交信を通じて仲良くなったユーザ間で登録した仲良し登録ユーザを別けて設定し相手方ユーザが消費又は移動するポイント数、個々のユーザ間の作成フォトアルバム閲覧及びコメント交換に伴い作成ユーザが通常ユーザ、前記仲良し登録ユーザを別けて設定し相手方ユーザが消費又は移動するポイント数、個々のユーザ間の作成ムービー閲覧、コメント交換に伴い作成ユーザが通常ユーザ、前記仲良し登録ユーザを別けて設定し相手方ユーザが消費又は移動するポイント数、及び、個々のユーザ間の作成メール送受信に伴い一方のユーザが通常ユーザ、前記仲良し登録ユーザを別けて設定し相手方ユーザが消費又は移動するポイント数を任意数のユーザ個々に管理する処理と、
ポイント数の管理結果を基に相手方ユーザが消費又は移動したポイント数を積算し、作成ユーザに対する通常ユーザ、前記仲良し登録ユーザ別のポイント還元処理を行うポイント還元処理と、
を少なくとも実行することを特徴とするコミュニティサイト提供システム用プログラム。
【請求項５】
コミュニティサイト管理装置と、任意数のユーザのユーザ端末との間を通信網により接続したコミュニティサイト提供システム用記録媒体であって、
コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群をユーザ端末に提供する処理と、
個々のユーザ間の作成ブログ閲覧に伴いブログの作成ユーザが通常ユーザ、サイト内交信を通じて仲良くなったユーザ間で登録した仲良し登録ユーザを別けて設定し相手方ユーザが消費又は移動するポイント数、個々のユーザ間の作成フォトアルバム閲覧及びコメント交換に伴い作成ユーザが通常ユーザ、前記仲良し登録ユーザを別けて設定し相手方ユーザが消費又は移動するポイント数、個々のユーザ間の作成ムービー閲覧、コメント交換に伴い作成ユーザが通常ユーザ、前記仲良し登録ユーザを別けて設定し相手方ユーザが消費又は移動するポイント数、及び、個々のユーザ間の作成メール送受信に伴い一方のユーザが通常ユーザ、前記仲良し登録ユーザを別けて設定し相手方ユーザが消費又は移動するポイント数を任意数のユーザ個々に管理する処理と、
ポイント数の管理結果を基に相手方ユーザが消費又は移動したポイント数を積算し、作成ユーザに対する通常ユーザ、前記仲良し登録ユーザ別のポイント還元処理を行うポイント還元処理と、
を少なくとも実行するプログラムをコンピュータ実行可能に記録したことを特徴とするコミュニティサイト提供システム用記録媒体。
【発明の詳細な説明】
【技術分野】
【０００１】
本発明は、斬新なコミュニティサイト提供システム、コミュニティサイト提供システム用プログラム及び記録媒体に関するものである。
【背景技術】
【０００２】
従来、インターネット網を通じて多数のユーザ間におけるコミュニティ増進を図ることを目的としたコミュニティサイト提供システムが種々提案されている。
【０００３】
このようなコミュニティサイト提供システムにおいては、サイト運営会社がユーザのメール送信等に伴って利用ポイントをユーザに与えるポイントサービスを行っているものもあるが、この場合にはサイト運営会社が一義的にポイント数を設定するものであり、当該サイトを利用するユーザにとって必ずしも満足度の高いものではない。
【０００４】
特許文献１には、登録ユーザ間で情報交信を行う場合に、他の登録ユーザの発信情報における文字数に応じたサイト運営会社の譲渡を受けて利益を得るように構成した文字数課金コミュニティサイトが提案されている。
【０００５】
しかし、この場合には、サイト運営会社の管理の基における発信情報の文字数に応じたポイント譲渡という比較的限定された範囲のものであり、文字情報はもちろんのこと静止画、動画等の画像情報のような多様な情報の交信を考慮したものではなく、また、ポイント設定に関するユーザの自由度もなく当該サイトを利用するユーザにとって必ずしも満足度の高いものではない。
【特許文献１】特開２００７−４７４３号公報
【発明の開示】
【発明が解決しようとする課題】
【０００６】
本発明が解決しようとする問題点は、会員登録したユーザが文字情報はもちろんのこと静止画、動画等の画像情報のような多様な情報をサイトを通じて公開することに伴う自ら設定したポイントに基づいた便益を得ることができ、ユーザにとって極めて満足度の高いコミュニティサイト提供システムが存在しない点である。
【課題を解決するための手段】
【０００７】
本発明のコミュニティサイト提供システムは、コミュニティサイトを管理するコミュニティサイト管理装置と、任意数のユーザのユーザ端末との間を通信網により接続したコミュニティサイト提供システムであって、前記コミュニティサイト管理装置は、コミュニティ案内用のトップページと、このトップページにリンクさせた複数のコンテンツ群を格納したデータベースサーバと、このデータベースサーバに格納したコンテンツ群を外部に提供するコンテンツ提供サーバと、コンテンツ提供サーバからのコンテンツ群に応じたユーザ端末の処理に基づいて、個々のユーザ間の各作成コンテンツ内容の閲覧等に伴い一方のユーザが設定し相手方ユーザが消費又は移動するポイント数を任意数のユーザ個々に管理するポイント管理手段と、このポイント管理手段の管理結果を基に相手方ユーザが消費又は移動したポイント数を積算し、作成ユーザに対するポイント還元処理を行うポイント還元処理手段と、を具備するユーザ監視手段と、を有することを最も主要な特徴とする。
【発明の効果】
【０００８】
請求項１記載の発明によれば、ユーザがコミュニティサイト管理装置に対する会員登録を行った後、作成ユーザとして、複数種のコンテンツ内容を作成し、かつ、自らコンテンツ内容別に相手方ユーザが消費又は移動するポイント数を設定してＷｅｂサイトに公開することで、相手方ユーザの閲覧やコメント書き込みに応じてその消費又は移動ポイントが作成ユーザに金銭等で還元されるという斬新な効果を奏するコミュニティサイト提供システムを提供できる。
【０００９】
請求項２記載の発明によれば、ユーザがコミュニティサイト管理装置に対する会員登録を行った後、作成ユーザとして、４種のコンテンツ内容、すなわち、ブログ、マイフォト、ムービー及びメールのコンテンツ内容を作成し、かつ、自らコンテンツ内容別に相手方ユーザが消費又は移動するポイント数を設定してＷｅｂサイトに公開することで、相手方ユーザの閲覧やコメント書き込みに応じてその消費又は移動ポイントが作成ユーザに金銭等で還元されるという斬新な効果を奏するコミュニティサイト提供システムを提供できる。
【００１０】
請求項３記載の発明によれば、請求項２記載の発明の効果を奏し、更に、通常ユーザと、サイト内交信を通じて仲良くなったユーザ間で登録した仲良し登録ユーザとを別けて相手方ユーザの消費又は移動ポイントが作成ユーザに金銭等で還元されることから、仲良し登録ユーザとの間の交流をより深めることができるコミュニティサイト提供システムを提供できる。
【００１１】
請求項４記載の発明によれば、請求項３記載の発明のコミュニティサイト提供システムを実現できるプログラムを提供できる。
【００１２】
請求項５記載の発明によれば、請求項３記載の発明のコミュニティサイト提供システム構築に貢献できるプログラムを記録した記録媒体を提供できる。
【発明を実施するための最良の形態】
【００１３】
本発明は、会員登録したユーザが文字情報はもちろんのこと静止画、動画等の画像情報のような多様な情報をサイトを通じて公開することに伴う自ら設定したポイントに基づいた便益を得ることができ、ユーザにとって極めて満足度の高いコミュニティサイト提供システムを提供するという目的を有するものである。
本発明は、上記目的を、コミュニティサイトを管理するコミュニティサイト管理装置と、任意数のユーザのユーザ端末との間を通信網により接続したコミュニティサイト提供システムであって、前記コミュニティサイト管理装置は、コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群を格納したデータベースサーバと、このデータベースサーバに格納したコンテンツ群を外部に提供するコンテンツ提供サーバと、コンテンツ提供サーバからのコンテンツ群に応じたユーザ端末の処理に基づいて、個々のユーザ間の作成ブログ閲覧に伴いブログの作成ユーザが設定し相手方ユーザが消費又は移動するポイント数、個々のユーザ間の作成フォトアルバム閲覧及びコメント交換に伴い作成ユーザが設定し相手方ユーザが消費又は移動するポイント数、個々のユーザ間の作成ムービー閲覧、コメント交換に伴い作成ユーザが設定し相手方ユーザが消費又は移動するポイント数、個々のユーザ間の作成メール送受信に伴い一方のユーザが設定し相手方ユーザが消費又は移動するポイント数を任意数のユーザ個々に管理するポイント管理手段と、このポイント管理手段の管理結果を基に相手方ユーザが消費又は移動したポイント数を積算し、作成ユーザに対するポイント還元処理を行うポイント還元処理手段と、を具備するユーザ監視手段と、を有する構成により実現した。
【実施例】
【００１４】
以下に本発明の実施例に係るコミュニティサイト提供システムについて図面を参照して詳細に説明する。
【００１５】
本実施例に係るコミュニティサイト提供システム１は、図１に示すように、コミュニティサイトを管理する運営会社のコミュニティサイト管理装置１０と、登録したユーザ及び未登録のユーザが使用する任意数のブラウザ機能を有するユーザ端末２との間を、インターネット網６、移動体通信網７等の通信網５により接続している。
【００１６】
前記ユーザ端末２としては、パーソナルコンピュータ３又は携帯電話４等々が使用される。
【００１７】
前記コミュニティサイト管理装置１０は、通信網５に接続するためのルータ等の通信インターフェース１２と、コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群を格納したデータベースサーバ１１と、このデータベースサーバ１１に格納したコンテンツ群を通信インターフェース１２、通信網５を介して外部の任意数の前記ユーザ端末２に提供するコンテンツ提供サーバ１３と、詳細は後述するが個々のユーザの設定ポイント、消費又は移動ポイントを監視しユーザへのポイント還元処理を行うユーザ監視手段１４と、前記ユーザ端末２を使用する個々のユーザの会員登録及びその会員登録に伴う課金等の管理を行う会員登録管理手段１５と、を有している。
【００１８】
前記データベースサーバ１１は、各々コンテンツ別のブログデータベース２２、フォトアルバムデータベース２３、ムービーデータベース２４、メール送受信データベース２５、電子掲示板データベース２６を具備している。
【００１９】
前記ユーザ監視手段１４は、ユーザが作成したコンテンツ内容を公開する時等に設定するコンテンツ内容別のポイント数（詳細は後述する）を記憶管理するユーザ設定ポイント管理部１６と、相手方ユーザが公開されたコンテンツ内容を閲覧するとき等に消費又は移動する前記ユーザ設定によるポイント数を記憶管理する消費又は移動ポイント管理部１７とからなるポイント管理手段１８と、このポイント管理手段１８の管理結果を基に相手方ユーザが消費又は移動したポイント数を積算し、作成ユーザに対するポイント還元処理を行うポイント還元処理手段１９と、を具備している。
【００２０】
また、前記消費又は移動ポイント管理部１７は、相手方ユーザによるユーザ端末処理によるコンテンツ内容の閲覧等に伴って、当該相手方ユーザが消費又は移動する前記各コンテンツ別に、かつ、通常ユーザ、仲良し登録ユーザ別の消費又は移動ポイント数を任意数のユーザ個々に管理する。
【００２１】
前記ポイント還元処理手段１９は、前記相手方ユーザが消費又は移動したポイント数を積算して、作成ユーザに対する通常ユーザ、前記仲良し登録ユーザ別のポイント還元処理を金銭又は景品等により行う処理を実行する。
【００２２】
前記会員登録管理手段１５は、個々のユーザの会員登録データを記憶管理する登録管理部２０と、個々のユーザの会員登録に伴う所定の登録料をユーザに課金処理を行う課金処理部２１と、を具備している。
【００２３】
次に、本実施例に係るコミュニティサイト提供システム１におけるコンテンツ提供サーバ１３がユーザ端末２に提供するサイト内容、コンテンツ群の具体例について説明する。
【００２４】
本実施例のサイト内容は、前記ユーザ端末２がコンテンツ提供サーバ１３にアクセスすることで最初に表示される図３に示すトップページを始めとし、このトップページにリンクした以下に述べるようなブログ、フォトアルバム、ムービー、メール、電子掲示板（ＢＢＳ：Ｂｕｌｌｅｔｉｎ  Ｂｏａｒｄ  Ｓｙｓｔｅｍ）等を主体とした多様なコンテンツ群を含むものである。
【００２５】
トップページのメインウインドウには、図３に示すように、メインメニュー３１、マイメニュー３２、ホームページ画像・文字等表示部３３、最下欄のサブメニュー３５が、また、トップページのガイダンスウインドウ３４には、ブログ等の案内欄、最近見たコンテンツ、友達を探す、人気ランキング等の情報が各々リンク可能に表示される。
【００２６】
前記メインメニュー３１としては、ホーム、電子掲示板、会員検索、ブログ、フォトアルバム、ムービー、ヘルプ、ログイン等が含まれる。
【００２７】
前記マイメニュー３２としては、マイページ、メール、ブログ、フォトアルバム、ムービー、お気に入り、仲良し、友達を紹介、ポイント等が含まれる。
【００２８】
前記サブメニュー３５としては、ホーム、サイトマップ、お知らせ、利用規約、特定商取引法に基づく表示、運営会社情報、プライバシー・ポリシー、お問い合わせ等が含まれる。
【００２９】
次に、本実施例に係るコミュニティサイト提供システム１の主要な要素であり、前記各メニューの項目にリンクしたユーザ登録、ブログ、フォトアルバム、ムービー、メール及び電子掲示板の各内容について説明する。
【００３０】
図４は、前記ユーザ端末２におけるトップページ画面においてメインメニュー３１のログインをマウスクリックすることで表示されるユーザ登録画面の表示例を示すもので、ここで個々のユーザがメールアドレス、ユーザＩＤ、パスワード等を入力し、コミュニティサイト管理装置１０に対する会員登録を行う。前記コミュニティサイト管理装置１０の会員登録管理手段１５は、個々のユーザの会員登録データを登録管理部２０に記憶する。また、前記課金処理部２１は、個々のユーザの会員登録に伴う所定の登録料をユーザに課金する。
【００３１】
図５は前記トップページ画面においてメインメニュー３１又はマイメニュー３２のブログをマウスクリックすることで表示されるコンテンツ群の一つである公知のブログ画面を示すもので、ここでユーザ（作成ユーザ）は例えば自己の日記等々を、書き込み通信網５を介して本実施例のサイト（Ｗｅｂサイト）に公開する。また、他のユーザ（相手方ユーザ）が公開されたブログを見て自己の意見等を書き込むテキスト機能も含んでいる。
【００３２】
図６は前記トップページ画面においてメインメニュー３１又はマイメニュー３２のフォトアルバムをマウスクリックすることで表示されるフォトアルバム画面を示すもので、ここでユーザ（作成ユーザ）は例えば自己が撮影したデジタルカメラの画像（静止画）を掲載してサイト（Ｗｅｂサイト）に公開する。また、他のユーザ（相手方ユーザ）が公開された画像を見て自己の意見等を書き込むテキスト機能も含んでいる。
【００３３】
図７は前記トップページ画面においてメインメニュー３１又はマイメニュー３２のムービーをマウスクリックすることで表示されるムービー画面を示すものであり、ここでユーザ（作成ユーザ）は例えば自己が撮影したビデオカメラのムービー画像（動画）等を掲載してサイト（Ｗｅｂサイト）に公開する。また、他のユーザ（相手方ユーザ）が公開されたムービー画像を見て自己の意見等を書き込むテキスト機能も含んでいる。
【００３４】
図８は前記トップページ画面においてマイメニュー３２のメールをマウスクリックすることで表示される各ユーザ間等でメールの送受信を行うためのメール画面を示すものである。
【００３５】
図９は前記トップページ画面においてメインメニュー３１の電子掲示板をマウスクリックすることで表示される個々のユーザが任意に書き込みを行う公知の電子掲示板画面を示すものである。
【００３６】
次に、ユーザによるポイント設定及びポイント還元について、図２をも参照して説明する。
ユーザ（作成ユーザ）は、ユーザ端末２に表示されるトップページにおけるマイメニュー３２のポイントをマウスクリックすることで表示されるポイント設定画面で、図２に示すように、ブログ、フォトアルバム、ムービー、メールからなる各コンテンツ内容を作成し公開又は送信するに際して通常ユーザ、仲良し登録ユーザ（サイト内交信を通じて仲良くなったユーザ間で登録したユーザ同士）別にポイント数を設定するものである。例えば通常ユーザでは５ポイント、仲良し登録ユーザではより交流を深めるために３ポイント等に設定するものである。
【００３７】
本実施例において、例えば１ポイント５円、ブログの作成ユーザが設定し相手方ユーザが消費又は移動するポイント数を例えば５ポイントとすると、ブログ閲覧ユーザが５人／日であれば、１日に５ポイント×５＝２５ポイントとなる。
【００３８】
また、メールの作成ユーザが設定し相手方ユーザが消費又は移動するポイント数を例えば５ポイントとし、メール送信（相手方２０件受信）２０通／日であれば、１日に５ポイント×２０＝１００ポイントとなる。
【００３９】
この結果、１か月（３０日）では、１２５ポイント×３０＝３７５０ポイントとなり、従って作成ユーザは、１か月に３７５０×５円＝１８７５０円を取得できる。なお、これらはあくまで一例であり、設定ポイント数、ポイント単価は種々の値に設定可能である。また、金銭に代えて景品によるポイント還元としてもよい。
【００４０】
次に、上述した本実施例に係るコミュニティサイト提供システム１を実現するためプログラム、及び記録媒体について説明する。
【００４１】
本実施例に係るプログラムとしては、図１０に示すように、コミュニティ案内用のトップページと、このトップページにリンクさせた少なくともユーザ書き込み用のブログ、ユーザ作成用の静止画を公開するフォトアルバム、ユーザ作成用の動画を公開するムービー及びユーザ相互間のメール送受信、電子掲示板からなる各コンテンツを含むコンテンツ群をユーザ端末２に提供する処理（ステップＳ１）と、個々のユーザ間の作成ブログ閲覧に伴いブログの作成ユーザが通常ユーザ、サイト内交信を通じて仲良くなったユーザ間で登録した仲良し登録ユーザを別けて設定し相手方ユーザが消費又は移動するポイント数、個々のユーザ間の作成フォトアルバム閲覧及びコメント交換に伴い作成ユーザが通常ユーザ、前記仲良し登録ユーザを別けて設定し相手方ユーザが消費又は移動するポイント数、個々のユーザ間の作成ムービー閲覧、コメント交換に伴い作成ユーザが通常ユーザ、前記仲良し登録ユーザを別けて設定し相手方ユーザが消費又は移動するポイント数、及び個々のユーザ間の作成メール送受信に伴い一方のユーザが通常ユーザ、前記仲良し登録ユーザを別けて設定し相手方ユーザが消費又は移動するポイント数を任意数のユーザ個々に管理する処理（ステップＳ２）と、ポイント数の管理結果を基に相手方ユーザが消費又は移動したポイント数を積算し、作成ユーザに対する通常ユーザ、前記仲良し登録ユーザ別のポイント還元処理を行うポイント還元処理（ステップＳ３）と、を少なくとも実行する構成とする。
【００４２】
また、本実施例に係る記録媒体は、前記プログラムをコンピュータ実行可能に記録したＣＤ−ＲＯＭ、ＤＶＤ−ＲＯＭ等を用いる。
【００４３】
上述した本実施例に係るコミュニティサイト提供システム１によれば、ユーザがコミュニティサイト管理装置１０に対する会員登録を行った後、作成ユーザとして、４種のコンテンツ内容、すなわち、ブログ、マイフォト、ムービー及びメールのコンテンツ内容を作成し、かつ、自らコンテンツ内容別に相手方ユーザが消費又は移動するポイント数を設定してＷｅｂサイトに公開することで、相手方ユーザの閲覧やコメント書き込みに応じてその消費又は移動ポイントが作成ユーザに金銭等で還元されるという斬新な効果を奏するものである。
【００４４】
また、ブログやマイフォト、ムービー、メール等の作成ユーザは、相手方ユーザからコメント、返信メール等を得ることによって新しいコミュニュケーションツールとして活用でき、ユーザ同士の交流を深めたり新たな友人を得ることが可能となる。
【００４５】
なお、上述した本実施例において、ユーザはユーザ端末２として、パーソナルコンピュータ３又は携帯電話４を使用して上述した各処理を行い、上述した効果を得ることができる。
【産業上の利用可能性】
【００４６】
本発明は、上述したように自ら設定したポイントに基づいて金銭等の便益を得ることができ、ユーザにとって極めて満足度の高いコミュニティサイト提供システムとして広範に活用可能である。
【図面の簡単な説明】
【００４７】
【図１】本発明の実施例に係るコミュニティサイト提供システムの構成を示す概略ブロック図である。
【図２】本実施例に係るコミュニティサイト提供システムの作成ユーザが設定し相手方ユーザが消費又は移動するコンテンツ別のポイント数の例を示す説明図である。
【図３】本実施例に係るコミュニティサイト提供システムにおけるトップページの表示例を示す図である。
【図４】本実施例に係るコミュニティサイト提供システムにおけるユーザ登録画面の表示例を示す図である。
【図５】本実施例に係るコミュニティサイト提供システムにおけるコンテンツの一つであるブログ画面の表示例を示す図である。
【図６】本実施例に係るコミュニティサイト提供システムにおけるコンテンツの一つであるフォトアルバム画面の表示例を示す図である。
【図７】本実施例に係るコミュニティサイト提供システムにおけるコンテンツの一つであるムービー画面の表示例を示す図である。
【図８】本実施例に係るコミュニティサイト提供システムにおけるコンテンツの一つであるメール画面の表示例を示す図である。
【図９】本実施例に係るコミュニティサイト提供システムにおけるコンテンツの一つであるＢＢＳ画面の表示例を示す図である。
【図１０】本実施例に係るコミュニティサイト提供システムにおけるプログラムの内容を示すフローチャートである。
【符号の説明】
【００４８】
１  コミュニティサイト提供システム
２  ユーザ端末
３  パーソナルコンピュータ
４  携帯電話
５  通信網
６  インターネット網
７  移動体通信網
１０  コミュニティサイト管理装置
１１  データベースサーバ
１２  通信インターフェース
１３  コンテンツ提供サーバ
１４  ユーザ監視手段
１５  会員登録管理手段
１６  ユーザ設定ポイント管理部
１７  消費又は移動ポイント管理部
１８  ポイント管理手段
１９  ポイント還元処理手段
２０  登録管理部
２１  課金処理部
２２  ブログデータベース
２３  フォトアルバムデータベース
２４  ムービーデータベース
２５  メール送受信データベース
２６  電子掲示板データベース
３１  メインメニュー
３２  マイメニュー
３３  ホームページ画像・文字等表示部
３４  ガイダンスウインドウ
３５  サブメニュー
【図１】
2008287306.tif 000003
【図２】
2008287306.tif 000004
【図１０】
2008287306.tif 000005
【図３】
2008287306.tif 000006
【図４】
2008287306.tif 000007
【図５】
2008287306.tif 000008
【図６】
2008287306.tif 000009
【図７】
2008287306.tif 000010
【図８】
2008287306.tif 000011
【図９】
2008287306.tif 000012